(57)【要約】【課題】簡素な構成で幅広いケースに対して対応可能な痰の持続型吸引器等を提供する。【解決手段】痰の持続型吸引器１Ａは、電動モータ６及び電動モータ６の動力が出力される駆動部７を含む吸引器本体２と、駆動部７と動力伝達可能な状態で吸引器本体２に装着でき、かつ吸引器本体２から取り外しできる複数のポンプカートリッジ４Ａ〜４Ｃとを備える。ポンプカートリッジ４Ａ〜４Ｃのそれぞれは、吸引器本体２に着脱可能なハウジング１０と、入口１１ａ及び出口１１ｂを有しハウジング１０に収容されたチューブ１１と、ハウジング１０内に回転可能な状態で設けられたロータ１２とを含んでいる。【選択図】図３
2018000318.tif 000002
【特許請求の範囲】
【請求項１】
気管切開された患者に適用される痰の持続型吸引器であって、
電動モータ及び前記電動モータの動力が出力される駆動部を含む吸引器本体と、
前記駆動部と動力伝達可能な状態で前記吸引器本体に装着でき、かつ前記吸引器本体から取り外しできる複数のポンプカートリッジと、を備え、
前記複数のポンプカートリッジのそれぞれは、前記吸引器本体に着脱可能なハウジングと、入口及び出口を有し前記ハウジングに収容されたチューブと、前記ハウジング内に回転可能な状態で設けられ、前記ハウジングが前記吸引器本体へ装着された状態で前記駆動部にて回転駆動されることによって前記チューブが閉塞される閉塞位置を前記入口から前記出口に向かう方向に変化させるロータとを含むことを特徴とする痰の持続型吸引器。
【請求項２】
前記複数のポンプカートリッジは、ポンプ性能が互いに異なっている請求項１に記載の持続型吸引器。
【請求項３】
前記複数のポンプカートリッジは、前記チューブの内径、肉厚及び素材の少なくとも一つが互いに異なることによって前記ポンプ性能が互いに異なっている請求項２に記載の持続型吸引器。
【請求項４】
前記吸引器本体は、前記駆動部の回転速度に関するユーザの操作を受け付ける速度操作部と、前記速度操作部に対する操作に応じて前記駆動部の回転速度を変更できるように前記電動モータを制御する制御部とを含む請求項１〜３のいずれか一項に記載の持続型吸引器。
【請求項５】
前記吸引器本体は、前記駆動部の駆動モードに関するユーザの操作を受け付けるモード操作部と、前記モード操作部に対する操作に応じて前記駆動部の駆動と停止とが所定間隔で繰り返される間欠駆動モードが実施されるように前記電動モータを制御する制御部とを含む請求項１〜３のいずれか一項に記載の持続型吸引器。
【請求項６】
前記吸引器本体には、前記患者の気管内に設けられたカフの内圧を調整するためのカフ圧制御装置が設けられ、前記カフ圧制御装置の駆動源として前記電動モータの電源が共用されている請求項１〜５のいずれか一項に記載の持続型吸引器。
【請求項７】
電動モータ及び前記電動モータの動力が出力される駆動部が設けられた吸引器本体に対して前記駆動部と動力伝達可能な状態で装着でき、かつ前記吸引器本体から取り外しできるポンプカートリッジにおいて、
前記吸引器本体に着脱可能なハウジングと、
入口及び出口を有し前記ハウジングに収容されたチューブと、
前記ハウジング内に回転可能な状態で設けられ、前記ハウジングが前記吸引器本体へ装着された状態で前記駆動部にて回転駆動されることによって前記チューブが閉塞される閉塞位置を前記入口から前記出口に向かう方向に変化させるロータと、
を備えることを特徴とするポンプカートリッジ。
【発明の詳細な説明】
【技術分野】
【０００１】
本発明は、気管切開された患者に適用される痰の持続型吸引器及びそれに使用されるポンプカートリッジに関する。
【背景技術】
【０００２】
人工呼吸が必要な患者に対しては気管切開が行われ、それよって形成された気管切開孔に人工呼吸器を接続可能な気管カニューレが挿管される。このような気管切開患者の気管や気管カニューレに溜まった痰を除去する排痰処置としては、その処置の度に吸引カテーテルを患者の気管切開孔に挿入しその吸引カテーテルに接続された吸引器にて痰を吸引する方法が広く知られている。この方法は、排痰処置の度に気管カニューレから人工呼吸器用のアダプタを外して吸引カテーテルを挿入する作業を伴うため患者を介護する医療従事者や患者の家族等の介護者の負担が大きい問題があった。
【０００３】
そこで、気管カニューレに組み込まれた吸引システムを使用して気管切開患者の痰を持続的に吸引する方法が提案されている（特許文献１）。こうした持続的な痰の吸引を実現するためにダイアフラム型吸引器やシリンジ型吸引器の採用が考えられる。また、チューブポンプを備えた持続型吸引器も提案されている（特許文献２）。
【先行技術文献】
【特許文献】
【０００４】
【特許文献１】特開２００２−２１９１７５号公報
【特許文献２】特許第４８８９４９１号公報
【発明の概要】
【発明が解決しようとする課題】
【０００５】
このような従来の吸引器は、患者間でポンプ本体を兼用ないし共用する構成であるので、患者とポンプ本体との間にポンプ内部の微生物汚染を防止するための吸引瓶やバクテリアフィルターなどを吸引回路内に付設して使用する必要があった。ダイアフラム型やシリンジ型の場合、回路構成を工夫して微生物汚染を阻止しようとしてもポンプ内部の汚染を免れることは困難である。特に患者間で共用する場合は交差感染のリスクがあった。
【０００６】
チューブポンプ型の場合であっても、特許文献２のように回路を分岐して補助ポンプを併設する場合は同様である。補助ポンプを併設せずにチューブポンプを単体で使用する場合でもチューブの破損やチューブの交換時にポンプ部を汚染する可能性があった。
【０００７】
そこで、本発明は、患者間で共用しても交差感染のリスクが低い痰の持続型吸引器等を提供することを目的とする。
【課題を解決するための手段】
【０００８】
本発明の痰の持続型吸引器は、気管切開された患者に適用される痰の持続型吸引器（１Ａ、１Ｂ）であって、電動モータ（６）及び前記電動モータの動力が出力される駆動部（７）を含む吸引器本体（２、３１）と、前記駆動部と動力伝達可能な状態で前記吸引器本体に装着でき、かつ前記吸引器本体から取り外しできる複数のポンプカートリッジ（４Ａ〜４Ｃ）と、を備え、前記複数のポンプカートリッジのそれぞれは、前記吸引器本体に着脱可能なハウジング（１０）と、入口（１１ａ）及び出口（１１ｂ）を有し前記ハウジングに収容されたチューブ（１１）と、前記ハウジング内に回転可能な状態で設けられ、前記ハウジングが前記吸引器本体へ装着された状態で前記駆動部にて回転駆動されることによって前記チューブが閉塞される閉塞位置（Ｘ）を前記入口から前記出口に向かう方向（Ｒａ）に変化させるロータ（１２）とを含むものである。
【０００９】
この持続型吸引器は、ハウジングに収容されたチューブを含む複数のポンプカートリッジを吸引器本体に着脱できる。そのため、この持続型吸引器を患者間で共用する場合であっても患者毎にポンプカートリッジを交換するだけでチューブも同時に交換できる。したがって、患者間の共用による交差感染のリスクが低い。
【００１０】
本発明の持続型吸引器の一態様においてポンプ性能が互いに異なっていてもよい。チューブポンプは吸引圧の上限を可変にすることが構造上難しい。そのため、従来の続型吸引器においては、気管切開患者の痰の量や粘度が変化してチューブポンプの能力を超えた吸引圧が求められるケースには補助ポンプを作動させている。このようにチューブポンプとともに補助ポンプを作動させれば吸引圧の適用範囲が拡大するので幅広いケースに対して包括的に対応できるが、吸引器の大型化や複雑化を招くおそれがある。この態様の持続型吸引器によれば、複数のポンプカートリッジのポンプ性能が互いに異なっているため、患者の状況に応じてポンプ性能が異なるポンプカートリッジを交換することができる。したがって、ポンプカートリッジを駆動する吸引器本体が共通化された簡素な構成でありながら、ポンプカートリッジの交換によって幅広いケースに対応できる。
【００１１】
上記の態様において、どのような手段によって吸引圧、吸引量及び吸引速度等のポンプ性能を相違させてもよい。例えば、チューブ閉塞時におけるロータの回転径やチューブの特性を相違させることによってポンプ性能を異ならせることができる。また、前記複数のポンプカートリッジは、前記チューブの内径、肉厚及び素材の少なくとも一つが互いに異なることによって前記ポンプ性能が互いに異なっていてもよい。チューブの内径等のチューブの特性が相違するだけであれば、各ポンプカートリッジのハウジング及びロータを共通化できるので、複数のポンプカートリッジを容易に量産化できる。
【００１２】
チューブの特性のうちチューブの弾性は素材及び肉厚等で規定される。チューブの弾性はポンプ性能のうちの吸引圧に影響を与える。そして、チューブの内径はポンプ性能のうちの吸引速度及び吸引量に影響を与える。したがって、複数のポンプカートリッジのチューブの内径、肉厚及び素材の少なくとも一つが異なることによって、ハウジング及びロータを共通化させつつポンプ性能が互いに相違する複数のポンプカートリッジを準備可能となる。
【００１３】
本発明の持続型吸引器の一態様において、前記吸引器本体は、前記駆動部の回転速度に関するユーザの操作を受け付ける速度操作部（２５）と、前記速度操作部に対する操作に応じて前記駆動部の回転速度を変更できるように前記電動モータを制御する制御部（２０）とを含んでもよい。この態様によれば、ポンプカートリッジの交換と駆動部の回転速度の変更とを組み合わせることによりポンプ性能の適用可能範囲が広がるので、駆動部の回転速度が一定の場合と比べてより幅広いケースに対応できる。
【００１４】
本発明の持続型吸引器の一態様において、前記吸引器本体は、前記駆動部の駆動モードに関するユーザの操作を受け付けるモード操作部（２６）と、前記モード操作部に対する操作に応じて前記駆動部の駆動と停止とが所定間隔で繰り返される間欠駆動モードが実施されるように前記電動モータを制御する制御部（２０）とを含んでもよい。この態様によればモード操作部に対するユーザの操作によって駆動モードを間欠駆動モードに容易に切り替えることができる。
【００１５】
本発明の持続型吸引器の一態様において、前記吸引器本体には、前記患者の気管内に設けられたカフの内圧を調整するためのカフ圧制御装置が設けられ、前記カフ圧制御装置の駆動源として前記電動モータの電源（ＰＳ）が共用されてもよい。この態様によれば、電動モータの駆動中にカフ圧制御装置も作動させることができる。これにより、持続的なカフの内圧（カフ圧）の調整が可能となるので、人工呼吸器関連肺炎（ＶＡＰ）の予防措置としてカフ圧を定期的にチェックする負担を削減できる。持続型吸引器によって持続的な痰の吸引とカフ圧の調整とを同時に実施できるので利便性が向上する。
【００１６】
本発明のポンプカートリッジは、電動モータ（６）及び前記電動モータの動力が出力される駆動部（７）が設けられた吸引器本体（２、３１）に対して前記駆動部と動力伝達可能な状態で装着でき、かつ前記吸引器本体から取り外しできるポンプカートリッジ（４Ａ〜４Ｃ）において、前記吸引器本体に着脱可能なハウジング（１０）と、入口（１１ａ）及び出口（１１ｂ）を有し前記ハウジングに収容されたチューブ（１１）と、前記ハウジング内に回転可能な状態で設けられ、前記ハウジングが前記吸引器本体へ装着された状態で前記駆動部にて回転駆動されることによって前記チューブが閉塞される閉塞位置（Ｘ）を前記入口から前記出口に向かう方向に変化させるロータ（１２）と、を備えるものである。
【００１７】
このポンプカートリッジによれば、吸引器本体に対して、その駆動部と動力伝達可能な状態で装着でき、かつ取り外しできる。そのため、吸引器本体にポンプカートリッジを装着して患者間で共用する場合であっても患者毎にポンプカートリッジを交換するだけでハウジングに収容されたチューブも同時に交換できる。したがって、患者間の共用による交差感染のリスクが低い。
【００１８】
なお、本発明の持続型吸引器における「持続型」の用語は、患者の痰を除去する処置の度に使用される吸引器と区別するための用語にすぎず、常時作動され続けるとの意味で用いられた用語ではない。したがって、本発明の持続型吸引器は間欠的に作動される場合も当然に含まれる。また、以上の説明では本発明の理解を容易にするために添付図面の参照符号を括弧書きにて付記したが、それにより本発明が図示の形態に限定されるものではない。
【発明の効果】
【００１９】
以上説明したように、本発明の持続型吸引器によれば、ポンプカートリッジを吸引器本体に着脱できるため、患者間で共用する場合であっても患者毎にポンプカートリッジを交換するだけでチューブも同時に交換できる。したがって、患者間の共用による交差感染のリスクが低い。また、本発明のポンプカートリッジによれば、患者毎にポンプカートリッジを交換するだけでチューブも同時に交換できるので、患者間の共用による交差感染のリスクが低い。
【図面の簡単な説明】
【００２０】
【図１】本発明の第１の形態に係る持続型吸引器を示した図。
【図２】図１の矢印II方向から見た状態を示した図。
【図３】ポンプカートリッジを取り外した吸引器本体を示した図。
【図４】ポンプカートリッジの詳細を示した図。
【図５】持続型吸引器の制御系を示したブロック図。
【図６】試験結果の一例を示した図。
【図７】第２の形態に係る持続型吸引器を示した図。
【発明を実施するための形態】
【００２１】
（第１の形態）
図１〜図３に示すように、第１の形態の持続型吸引器（以下、単に「吸引器」という。）１Ａは、気管切開された患者の気管内や挿管された気管カニューレ内の痰を吸引するために使用される。吸引器１Ａは、プラスチック製の筐体３を含む吸引器本体２と、吸引器本体２に装着できかつ吸引器本体２から取り外しできる複数のポンプカートリッジ４Ａ、４Ｂ…（図３参照）とを備えている。なお、複数のポンプカートリッジ４Ａ、４Ｂ…を互いに区別する必要がない場合は本明細書にポンプカートリッジ４と表記する場合があり、図面に参照符号として「４」を付する場合がある。
【００２２】
吸引器本体２は、筐体３の内部に設けられた電動モータ６と電動モータ６のモータ軸６ａに連結されて動力が出力される駆動部７とを含んでいる。駆動部７はポンプカートリッジ４を取り外した状態（図３の状態）で筐体３に設けられたマウント部８に一部が露出している。マウント部８は筐体３の外表面３ａから円形状に少し窪んだ形状に構成されている。マウント部８の外周部には半径方向内側（駆動部７に向かう側）に突出する４つの突起８ａが略等間隔で形成されている。
【００２３】
ポンプカートリッジ４は、マウント部８に露出した駆動部７に接続された状態でマウント部８に嵌め込まれることにより駆動部７と動力伝達可能な状態で装着される。ポンプカートリッジ４は内部が視認可能な透光性材料で構成されたハウジング１０を含んでいる。ハウジング１０の外周部にはフランジ部１０ａが形成されている。図１に示すように、ポンプカートリッジ４がマウント部８に嵌め込まれるとフランジ部１０ａがマウント部８の各突起８ａに噛み合う。これにより、ポンプカートリッジ４の簡単な脱落が防止されている。ポンプカートリッジ４をマウント部８から取り外す際には各突起８ａが弾性変形することにより、フランジ部１０ａと突起部８ａとの噛み合いが解除される。このように、吸引器１Ａはユーザに特別な操作を要求することなく吸引器本体２からポンプカートリッジ４を容易に着脱できる。
【００２４】
図４に詳しく示すように、ポンプカートリッジ４は、ハウジング１０の内周壁に沿うようにしてハウジング１０に収容された柔軟性を有するチューブ１１と、ハウジング１０内に回転可能な状態で設けられたロータ１２とを含む。チューブ１１としては例えばエラストマーチューブが選択される。チューブ１１は患者から吸引した痰が流入する入口１１ａと、痰が流出する出口１１ｂとを有する。入口１１ａ及び出口１１ｂはそれぞれハウジング１０の外部に露出している。入口１１ａは患者側の吸引チューブ（不図示）に接続可能となるようにコネクタ状に形成される。同様に、出口１１ｂは痰収集容器に連通する排出チューブ（不図示）に接続可能となるようにコネクタ状に形成されている。
【００２５】
ロータ１２は、マウント部８から露出する駆動部７（図２参照）に接続される回転軸１５（図４参照）と、回転軸１５に固定されていて、複数の（本形態では３つの）ローラ１６ａを外周部で回転自在に保持するキャリア１６とを含む。回転軸１５には接続穴（不図示）が形成されており、その接続穴は駆動部７の形状に合致する形状を有している。これにより、回転軸１５と駆動部７とが接続された場合にこれらの相対回転が阻止される。キャリア１６に保持された各ローラ１６ａはハウジング１０に収容されたチューブ１１を閉塞できるように回転軸１５からの半径方向の距離である回転径Ｒｒが設定されている。したがって、ポンプカートリッジ４が吸引器本体２に装着された状態でロータ１２が図４の時計方向Ｒａに回転駆動されることにより、ロータ１２にてチューブ１１が閉塞される閉塞位置Ｘが入口１１ａから出口１１ｂに向かう方向に変化する。
【００２６】
図３に示したように、本形態の吸引器１Ａにはポンプカートリッジ４として互いにポンプ性能が異なる３つのポンプカートリッジ４Ａ〜４Ｃが設けられている。３つのポンプカートリッジ４Ａ〜４Ｃはハウジング１０及びロータ１２を共通としかつチューブ１１として採用するチューブの特性を互いに異ならせることによりポンプ性能が互いに異なるようにしている。そのため、吸引器１Ａは、ポンプカートリッジ４を駆動する吸引器本体２が共通化された簡素な構成でありながら、ポンプカートリッジ４の交換によって幅広いケースに対応できる。
【００２７】
ポンプ性能としては吸引圧、吸引速度及び吸引量が代表的なものである。チューブの特性の一つであるチューブの弾性は素材及び肉厚等で規定され、ポンプ性能のうちの吸引圧に影響を与える。また、他の一つであるチューブの内径はポンプ性能のうちの吸引速度及び吸引量に影響を与える。したがって、３つのポンプカートリッジ４Ａ〜４Ｃは、チューブの特性としての内径、肉厚及び素材のそれぞれを異なるようにしてポンプ性能を相違させている。なお、チューブの内径、肉厚及び素材のうちの少なくとも一つを互いに相違させることによって、すなわち内径、肉厚及び素材のいずれか一つ又は二つを共通にし、かつ残りを互いに相違させることによってポンプ性能を相違させることもできる。
【００２８】
図５に示すように、吸引器１Ａの動作は吸引器本体２に設けられた制御部２０にて制御される。制御部２０は電子回路として構成されて電動モータ６に電気的に接続された制御回路２１と、制御回路２１に電気的に接続された電源回路２２とを含む。電源回路２２は、電源コードＣ（図１等参照）が接続される例えば家庭用の電源ＰＳの電力を適宜変換して制御回路２１に供給する。
【００２９】
制御回路２１には、駆動部７の回転速度つまり吸引器１Ａの駆動速度に関するユーザの操作を受け付ける速度操作部としての調整ダイヤル２５と、駆動部７の駆動モードつまり吸引器１Ａの運転モードに関するユーザの操作を受け付けるモード操作部としてのロータリースイッチ２６とがそれぞれ電気的に接続されている。図１等に示すように、調整ダイヤル２５は吸引器本体２の筐体３に設けられている。ユーザが調整ダイヤル２５を回転させることにより０から１２までの範囲内で無段階に吸引器１Ａの駆動速度を指示できる。制御回路２１に調整ダイヤル２５の指示が入力されると、制御部２０は調整ダイヤルの位置に応じた回転速度が得られるように電動モータ６を制御する。これにより、調整ダイヤル２５に対する操作に応じて運転速度を変更できる。
【００３０】
調整ダイヤル２５の操作位置（ダイヤル目盛）と、ポンプ性能の一つである吸引量（ｍｌ／ｈｒ）との対応関係の一例を図６に示す。図６の試験データは、吸引器本体２に装着したポンプカートリッジ４を変更せずに取得したものである。この試験では、痰と粘度が近似する模擬痰を使用するとともに、模擬痰との比較のため水を使用した。図６に示すように、調整ダイヤル２５を操作することによって吸引量の微調整が容易になることがわかる。また、図６から自明なように、ポンプカートリッジ４を交換した場合には、それぞれのポンプカートリッジで調整ダイヤル２５を操作することによって、ポンプカートリッジ４毎に異なる吸引量の特性が得られる。したがって、ポンプ性能の適用可能範囲が広がるので、駆動部７の回転速度が一定の場合と比べてより幅広いケースに対応できる。
【００３１】
図１に示すように、ロータリースイッチ２６は、位置ａ及び位置ｂに互いにタイミングの異なる間欠駆動モードが、位置ｃに連続駆動モードがそれぞれ割り当てられた３ポジションスイッチとして構成されている。図５に示すように、ロータリースイッチ２６の操作位置が制御回路２１に入力されると、制御部２０はその操作位置に応じた運転モードが選択されるように電動モータ６を制御する。連続駆動モードは駆動部７が連続して運転される駆動モードであり、間欠駆動モードは駆動部７の駆動と停止とが所定間隔（例えば５秒）で繰り返される駆動モードである。ロータリースイッチ２６に対する操作によって連続駆動モードと間欠駆動モードとの間で駆動モードを容易に切り替えることができる。なお、制御部２０は電源投入に合わせてパイロットランプ２８（図１参照）を点灯させる。
【００３２】
本形態の吸引器１Ａによれば、チューブ型の３つポンプカートリッジ４Ａ〜４Ｃを吸引器本体２に着脱できる。そのため、患者間で共用する場合であっても患者毎にポンプカートリッジ４を交換するだけでチューブ１１も同時に交換できる。したがって、患者間の共用による交差感染のリスクが低い。また、これらのポンプカートリッジ４Ａ〜４Ｃはポンプ性能が互いに異なっている。そのため、患者の状況に応じてポンプ性能が異なるポンプカートリッジ４を交換することができる。吸引器１Ａはポンプカートリッジ４を駆動する吸引器本体２が共通化された簡素な構成でありながら、ポンプカートリッジ４の交換によって幅広いケースに対応できる。
【００３３】
（第２の形態）
次に、図７を参照しながら本発明の第２の形態を説明する。なお、以下、第１の形態と共通する部材には同一の参照符号を図面に付して説明を省略する。本形態の吸引器１Ｂは患者に挿管される気管カニューレのカフ（不図示）の内圧を調整するためのカフ圧制御装置３０が設けられている点に特徴がある。
【００３４】
吸引器１Ｂは吸引器本体３１を備えており、その吸引器本体３１はカフ圧制御装置３０の搭載スペースが確保された筐体３２を有している。筐体３２にはカフ圧制御装置３０が取り付けられている。また、筐体３２にも、第１の形態と同じマウント部８が形成されており、ポンプカートリッジ４を吸引器本体３１に装着し、かつ吸引器本体３１からポンプカートリッジ４を取り外すことができる。
【００３５】
カフ圧制御装置３０は小型のピエゾポンプ（不図示）を備えており、そのピエゾポンプが供給する圧力は接続チューブ３５を介してカフに導かれる。また、カフ圧制御装置３０には動作制御を行う制御部（不図示）が設けられている。カフ圧制御装置３０は、カフの内圧をモニタする圧力計３６と、ピエゾポンプが供給する圧力変動を吸収するためのバッファタンク３７とを有している。
【００３６】
ポンプカートリッジ４を駆動するための電動モータ６には第１の形態と同様に電源ＰＳに接続される電源コードＣを介して電力が供給される。その電力はカフ圧制御装置３０にも供給されるように制御部が構成されている。換言すれば、吸引器１Ｂはカフ圧制御装置３０の駆動源として電動モータ６の電源ＰＳが共用されている。
【００３７】
第２の形態の吸引器１Ｂによれば、第１の形態と同じ効果を得ることができる。しかもカフ圧制御装置３０の駆動源として電動モータ６の電源ＰＳが共用されているので電動モータ６の駆動中にカフ圧制御装置３０も作動させることができる。これにより、持続的なカフの内圧（カフ圧）の調整が可能となるので、人工呼吸器関連肺炎（ＶＡＰ）の予防措置としてカフ圧を定期的にチェックする負担を削減できる。吸引器１Ｂによって持続的な痰の吸引とカフ圧の調整とを同時に実施できるので利便性が向上する。
【００３８】
特に、カフ圧制御装置３０に設けられるポンプとしてピエゾポンプが採用されているので、ダイアフラム式ポンプのように圧力変動が大きくなることはなく、チューブポンプのように吐出量が不足することもないので、カフの圧力調整に適している。しかも、カフ圧制御装置３０はバッファタンク３７を有しているので圧力変動を可能な限り低減でき、より正確なカフ圧の調整が可能となる。
【００３９】
本発明は上記各形態に限定されず本発明の要旨の範囲内において種々の形態にて実施できる。上記各形態では、複数のポンプカートリッジのポンプ性能が互いに異なっているが、複数のポンプカートリッジが同じポンプ特性であってもよい。また、上記各形態では、複数のポンプカートリッジのポンプ性能を異ならせるためにチューブの特性を変更しているが一例にすぎない。例えば、チューブの特性を変更せずにチューブ閉塞時におけるロータの回転径Ｒｒ（図４参照）が互いに相違するようにロータを変更することによって、複数のポンプカートリッジのポンプ性能を異ならせることも可能である。また、チューブを閉塞するローラ間距離を変更することによってポンプ性能を異ならせることもできる。要するに、ポンプ性能が異なる複数のポンプカートリッジを共通の吸引器本体に着脱できる形態であれば、ポンプ性能を相違させる手段に制限はない。
【００４０】
上記各形態では電動モータのモータ軸に駆動部が直接連結されているが、モータ軸と駆動部との間に減速機等の動力伝達要素を介在させる形態で本発明を実施することも可能である。
【符号の説明】
【００４１】
１Ａ、１Ｂ  持続型吸引器
２、３１  吸引器本体
４Ａ〜４Ｃ  ポンプカートリッジ
６  電動モータ
７  駆動部
１０  ハウジング
１１  チューブ
１１ａ  入口
１１ｂ  出口
１２  ロータ
２５  調整ダイヤル（速度操作部）
２６  ロータリースイッチ（モード操作部）
３０  カフ圧制御装置
ＰＳ  電源
Ｘ  閉塞位置
【図１】
2018000318.tif 000003
【図２】
2018000318.tif 000004
【図３】
2018000318.tif 000005
【図４】
2018000318.tif 000006
【図５】
2018000318.tif 000007
【図６】
2018000318.tif 000008
【図７】
2018000318.tif 000009